(57)【要約】【課題】現状のディジタル保護リレー装置の入力信号を処理することで位相制御方式を実現することができる位相制御内蔵ディジタル保護リレー装置を提供する。【解決手段】送配電線の相ごとに設けられた遮断器９０を遮断および投入させるのに用いられる位相制御内蔵ディジタル保護リレー装置１は、外部から入力される送配電線の各相の電流値をそれぞれ示す複数の電流信号Ｉa，Ｉb，Ｉcについて零点時刻ｔzero、残余時間Ｔおよび待ち時間Ｔ０を所定の時間ごとにそれぞれ算出する位相制御判定処理回路３２と、送配電線の少なくとも１つの相についての事故発生信号または遮断指示信号が入力された時刻ｔ1に位相制御判定処理回路３２において算出された待ち時間Ｔ０1だけ経過した時刻ｔ2にこの開閉装置の遮断信号が出力されるように、出力信号を出力する位相制御シーケンス処理回路４２とを具備する。【選択図】図１
2007336711.tif 000002
【特許請求の範囲】
【請求項１】
送配電線の相ごとに設けられた開閉装置（９０）を遮断および投入させるのに用いられる位相制御内蔵ディジタル保護リレー装置（１）であって、
補助リレー動作時間と前記開閉装置の遮断時間とを合計した遮断時設定時間（Ｔ１）と余裕時間（Ｔ３）とを事前に設定する位相制御整定手段（２２）と、
外部から入力される送配電線の各相の電流値をそれぞれ示す複数の電流信号（Ｉa，Ｉb，Ｉc）について、所定の時間ごとに、現在の時刻（ｔ）からリレー判定時間（ＴRY）または処理時間（ＴPR）と前記遮断時設定時間と前記余裕時間とを合計した時間の経過後に前記複数の電流信号の振幅が最初に零となる零点時刻（ｔzero）をそれぞれ算出し、該算出した零点時刻から現在の時刻を引くことにより残余時間（Ｔ）をそれぞれ算出するとともに、該算出した残余時間から前記遮断時設定時間と前記余裕時間との合計時間を引くことにより現在の時刻における待ち時間（Ｔ０）をそれぞれ算出する位相制御判定処理手段（３２）と、
前記送配電線の少なくとも１つの相について事故発生信号または遮断指示信号が入力されると、該事故発生信号または該遮断指示信号が入力された時刻（ｔ1）に前記位相制御判定処理手段において算出された待ち時間（Ｔ０1）だけ経過した時刻（ｔ2）に、該送配電線の少なくとも１つの相に設けられた開閉装置の遮断信号が出力されるように、出力信号を出力する位相制御シーケンス処理手段（４２）と、
を具備することを特徴とする、位相制御内蔵ディジタル保護リレー装置。
【請求項２】
前記位相制御シーケンス処理手段の出力信号に従って、前記送配電線の少なくとも１つの相に設けられた開閉装置の遮断信号を出力する遮断器指令出力処理手段（４３）と、
該遮断器指令出力処理手段からの前記遮断信号に基づいて、前記補助リレー動作時間だけ経過した時刻（ｔ3）に、該送配電線の少なくとも１つの相に設けられた開閉装置を遮断させる開閉装置遮断信号を該送配電線の少なくとも１つの相に設けられた開閉装置の遮断回路（９１）に出力する出力手段（５２）と、
をさらに具備することを特徴とする、請求項１記載の位相制御内蔵ディジタル保護リレー装置。
【請求項３】
前記複数の電流信号が直流成分を含む場合には、位相制御判定処理手段が、現在の時刻から前記リレー判定時間または前記処理時間と前記遮断時設定時間と前記余裕時間とを合計した時間の経過後に前記直流成分を含む複数の電流信号の振幅が最初に零となる零点時刻をそれぞれ算出することを特徴とする、請求項１または２記載の位相制御内蔵ディジタル保護リレー装置。
【請求項４】
前記位相制御判定処理手段が、前記複数の電流信号の直流成分に基づいて減衰係数をそれぞれ算出して現在の時刻以降の該複数の電流信号の直流成分の振幅をそれぞれ予測し、該予測した複数の電流信号の直流成分の振幅と該複数の電流信号の交流成分に基づいて予測した同じ時刻における該複数の電流信号の交流成分の振幅とを合計し、該合計した振幅に基づいて前記零点時刻を算出することを特徴とする、請求項３記載の位相制御内蔵ディジタル保護リレー装置。
【請求項５】
アナログ入力信号を所定のサンプリング周波数でサンプリングしてホールドするサンプリングホールド回路（１４）と、
該サンプリングホールド回路からのアナログ信号をディジタル信号に変換するアナログ／ディジタル変換器（１６）とをさらに具備し、
前記位相制御判定処理手段が、前記サンプリングホールド回路におけるサンプリング周期ごとに前記零点時刻、前記残余時間および前記待ち時間を算出することを特徴とする、請求項１乃至４いずれかに記載の位相制御内蔵ディジタル保護リレー装置。
【請求項６】
外部から入力される複数のアナログ電流信号（ｉa，ｉb，ｉc）の直流成分のみまたは該複数のアナログ電流信号が前記アナログ／ディジタル変換器によって変換された複数のディジタル電流信号（Ｉa，Ｉb，Ｉc）の直流成分のみを抽出するロウパスフィルタ（１３）をさらに具備することを特徴とする、請求項５記載の位相制御内蔵ディジタル保護リレー装置。
【請求項７】
前記送配電線の相ごとに設けられた開閉装置を一括して遮断させる場合には、前記位相制御内蔵ディジタル保護リレー装置が、３相故障を除いて、前記位相制御シーケンス処理手段の出力信号に基づいて前記開閉装置を一括して遮断することを特徴とする、請求項１乃至７いずれかに記載の位相制御内蔵ディジタル保護リレー装置。
【請求項８】
１相故障の場合には、前記位相制御判定処理手段が、前記送配電線の故障相の電流値を示す電流信号について前記零点時刻、前記残余時間および前記待ち時間を算出し、
２相故障の場合には、前記位相制御判定処理手段が、前記送配電線の故障相のうちの代表相の電流値を示す電流信号について前記零点時刻、前記残余時間および前記待ち時間を算出する、
ことを特徴とする、請求項７記載の位相制御内蔵ディジタル保護リレー装置。
【発明の詳細な説明】
【技術分野】
【０００１】
本発明は、位相制御内蔵ディジタル保護リレー装置に関し、特に、電力系統の開閉装置の遮断時におけるアークによる接触部の劣化や損傷を低減させるのに好適な位相制御内蔵ディジタル保護リレー装置に関する。
【背景技術】
【０００２】
従来、電力系統の開閉装置（たとえば、遮断器）を開閉する際のアークによる接触部の劣化や損傷を低減させるために、その回路の電流・電圧位相などから交流電流が零点となるタイミングを予測して接触部の開閉を行う制御方式（以下、「位相制御方式」と称する。）が提案されている。
【０００３】
このような位相制御方式を実現するために、下記の特許文献１に開示されている位相制御開閉装置では、電流計測部または電流勾配計測部を設けて開閉する電流の電流値または電流勾配値を計測して、これら計測値より電流波形の電流零点を基準位相検出部で予測し、遮断器の開閉極指令を受けて電流波形予測後の任意の時刻を基準とする開極位相制御動作を制御部で行うことにより、電力用開閉機器の開閉タイミングを制御して変圧器、リアクトルやコンデンサバンクなどの系統機器にとって過酷となる励磁突入電流や開閉サージ電圧の発生を抑制したり、遮断器のアーク時間を制御して無再発弧となるアーク時間や最適な遮断時間にて遮断器を動作させて遮断したりする。
【０００４】
また、下記の特許文献２に開示されている電力開閉制御装置では、電力開閉装置の開閉極時間の変動を予測する動作時間予測部と、電力開閉装置の主回路電圧および主回路電流の少なくとも一方の位相を検出する零点検出部と、電力開閉装置に開閉極指令入力時に、零点検出部により検出された所定の位相を基準にし、この位相に前記予測された開閉極時間の変動を加味した位相において電力開閉装置開閉極指令を電力開閉装置に出力する制御信号発生部とを備えてることにより、所望のタイミングで投入または遮断を行うことができるようにする。
【特許文献１】特開２０００−１８８０４４号公報
【特許文献２】特開２００１−０５７１３５号公報
【発明の開示】
【発明が解決しようとする課題】
【０００５】
しかしながら、従来の位相制御方式においては、開閉装置に付属する検出・制御回路を設けたり、開閉装置と別に制御装置を設けたりしているため、調相設備の開閉装置のような特殊な開閉装置には採用されているが、通常の開閉装置に採用するにはコスト増となるという問題があった。
【０００６】
本発明の目的は、現状のディジタル保護リレー装置の入力信号を処理することで位相制御方式を実現することができる位相制御内蔵ディジタル保護リレー装置を提供することにある。
【課題を解決するための手段】
【０００７】
本発明の位相制御内蔵ディジタル保護リレー装置は、送配電線の相ごとに設けられた開閉装置（９０）を遮断および投入させるのに用いられる位相制御内蔵ディジタル保護リレー装置（１）であって、補助リレー動作時間と前記開閉装置の遮断時間とを合計した遮断時設定時間（Ｔ１）と余裕時間（Ｔ３）とを事前に設定する位相制御整定手段（２２）と、外部から入力される送配電線の各相の電流値をそれぞれ示す複数の電流信号（Ｉa，Ｉb，Ｉc）について、所定の時間ごとに、現在の時刻（ｔ）からリレー判定時間（ＴRY）または処理時間（ＴPR）と前記遮断時設定時間と前記余裕時間とを合計した時間の経過後に前記複数の電流信号の振幅が最初に零となる零点時刻（ｔzero）をそれぞれ算出し、該算出した零点時刻から現在の時刻を引くことにより残余時間（Ｔ）をそれぞれ算出するとともに、該算出した残余時間から前記遮断時設定時間と前記余裕時間との合計時間を引くことにより現在の時刻における待ち時間（Ｔ０）をそれぞれ算出する位相制御判定処理手段（３２）と、前記送配電線の少なくとも１つの相について事故発生信号または遮断指示信号が入力されると、該事故発生信号または該遮断指示信号が入力された時刻（ｔ1）に前記位相制御判定処理手段において算出された待ち時間（Ｔ０1）だけ経過した時刻（ｔ2）に、該送配電線の少なくとも１つの相に設けられた前記開閉装置の遮断信号が出力されるように、出力信号を出力する位相制御シーケンス処理手段（４２）とを具備することを特徴とする。
ここで、前記位相制御シーケンス処理手段の出力信号に従って、前記送配電線の少なくとも１つの相に設けられた開閉装置の遮断信号を出力する遮断器指令出力処理手段（４３）と、該遮断器指令出力処理手段からの前記遮断信号に基づいて、前記補助リレー動作時間だけ経過した時刻（ｔ3）に、該送配電線の少なくとも１つの相に設けられた開閉装置を遮断させる開閉装置遮断信号を該送配電線の少なくとも１つの相に設けられた開閉装置の遮断回路（９１）に出力する出力手段（５２）とをさらに具備してもよい
前記複数の電流信号が直流成分を含む場合には、位相制御判定処理手段が、現在の時刻から前記リレー判定時間または前記処理時間と前記遮断時設定時間と前記余裕時間とを合計した時間の経過後に前記直流成分を含む複数の電流信号の振幅が最初に零となる零点時刻をそれぞれ算出してもよい。
前記位相制御判定処理手段が、前記複数の電流信号の直流成分に基づいて減衰係数をそれぞれ算出して現在の時刻以降の該複数の電流信号の直流成分の振幅をそれぞれ予測し、該予測した複数の電流信号の直流成分の振幅と該複数の電流信号の交流成分に基づいて予測した同じ時刻における該複数の電流信号の交流成分の振幅とを合計し、該合計した振幅に基づいて前記零点時刻を算出してもよい。
アナログ入力信号を所定のサンプリング周波数でサンプリングしてホールドするサンプリングホールド回路（１４）と、該サンプリングホールド回路からのアナログ信号をディジタル信号に変換するアナログ／ディジタル変換器（１６）とをさらに具備し、前記位相制御判定処理手段が、前記サンプリングホールド回路におけるサンプリング周期ごとに前記零点時刻、前記残余時間および前記待ち時間を算出してもよい。
外部から入力される複数のアナログ電流信号（ｉa，ｉb，ｉc）の直流成分のみまたは該複数のアナログ電流信号が前記アナログ／ディジタル変換器によって変換された複数のディジタル電流信号（Ｉa，Ｉb，Ｉc）の直流成分のみを抽出するロウパスフィルタ（１３）をさらに具備してもよい。
前記送配電線の相ごとに設けられた開閉装置を一括して遮断させる場合には、前記位相制御内蔵ディジタル保護リレー装置が、３相故障を除いて、前記位相制御シーケンス処理手段の出力信号に基づいて前記開閉装置を一括して遮断してもよい。
１相故障の場合には、前記位相制御判定処理手段が、前記送配電線の故障相の電流値を示す電流信号について前記零点時刻、前記残余時間および前記待ち時間を算出し、２相故障の場合には、前記位相制御判定処理手段が、前記送配電線の故障相のうちの代表相の電流値を示す電流信号について前記零点時刻、前記残余時間および前記待ち時間を算出してもよい。
【発明の効果】
【０００８】
本発明の位相制御内蔵ディジタル保護リレー装置は、以下の効果を奏する。
（１）専用の検出・制御回路や専用の制御装置を設ける必要がなく、現状のディジタル保護リレー装置の入力信号を処理することで位相制御方式を実現することができるので、通常の開閉装置にも採用することができる。
（２）開閉装置の遮断時におけるアークによる接触部の劣化や損傷を低減させることができるので、点検頻度を減少させることができる。
【発明を実施するための最良の形態】
【０００９】
上記の目的を、外部から入力される送配電線の各相の電流値をそれぞれ示す複数の電流信号について、所定の時間ごとに、現在の時刻からリレー判定時間または処理時間と遮断時設定時間と余裕時間とを合計した時間の経過後に複数の電流信号の振幅が最初に零となる零点時刻をそれぞれ算出し、算出した零点時刻から現在の時刻を引くことにより残余時間をそれぞれ算出するとともに、算出した残余時間から遮断時設定時間と余裕時間との合計時間を引くことにより現在の時刻における待ち時間をそれぞれ算出する位相制御判定処理手段と、送配電線の少なくとも１つの相について事故発生信号または遮断指示信号が入力されると、事故発生信号または遮断指示信号が入力された時刻に位相制御判定処理手段において算出された待ち時間だけ経過した時刻に、この送配電線の少なくとも１つの相に設けられた開閉装置の遮断信号が出力されるように、出力信号を出力する位相制御シーケンス処理手段とをディジタル保護リレー装置に備えることにより実現した。
【実施例１】
【００１０】
以下、本発明の位相制御内蔵ディジタル保護リレー装置の実施例について、図面を参照して説明する。
【００１１】
本発明の一実施例による位相制御内蔵ディジタル保護リレー装置１は、単相遮断器（送配電線の相ごとに設けられた遮断器）である遮断器９０を遮断および投入させるのに用いられるものであり、図１に示すように、アナログ入力部１０と、整定・表示部２０と、演算処理部３０と、シーケンス部４０と、入出力部５０とを具備する。なお、アナログ入力部１０と整定・表示部２０と演算処理部３０とシーケンス部４０と入出力部５０とはバスを介して接続されている。
【００１２】
アナログ入力部１０は、入力変換器１１と、バンドパスフィルタ１２（以下、「ＢＰＦ１２」と称する。）と、ロウパスフィルタ１３（以下、「ＬＰＦ」と称する。）と、サンプリングホールド回路１４（以下、「Ｓ／Ｈ回路１４」と称する。）と、マルチプレクサ回路１５（以下、「ＭＰＸ回路１５」と称する。）と、アナログ／ディジタル変換器１６（以下、「Ａ／Ｄ変換器１６」と称する。）とを備える。
【００１３】
ＢＰＦ１２は、外部から入力変換器１１を介して入力される以下に示すようなアナログ信号の交流成分（たとえば、商用周波数６０Ｈｚ）のみを抽出する。
（１）送配電線のａ相，ｂ相およびｃ相の電流値をそれぞれ示す第１乃至第３のアナログ電流信号ｉa，ｉb，ｉc
（２）零相電流値を示すアナログ零相電流信号ｉ0
（３）母線のａ相，ｂ相およびｃ相の電圧値をそれぞれ示す第１乃至第３のアナログ母線電圧信号ｖＢa，ｖＢb，ｖＢc
（４）送配電線のａ相，ｂ相およびｃ相の電圧値をそれぞれ示す第１乃至第３のアナログ線路電圧信号ｖＬa，ｖＬb，ｖＬc
（５）送配電線の代表相の電圧値を示すアナログ線路電圧信号ｖＬ
（６）零相電圧を示すアナログ零相電圧信号ｖ0。
ＬＰＦ１３は、外部から入力変換器１１を介して入力される第１乃至第３のアナログ電流信号ｉa，ｉb，ｉcの直流成分のみを抽出する。
Ｓ／Ｈ回路１４は、所定のサンプリング周波数（たとえば、商用周波数６０Ｈｚの場合には５，７６０Ｈｚ（電気角３．７５°））でＢＰＦ１２の出力信号およびＬＰＦ１３の出力信号をサンプリングしてホールドする。
ＭＰＸ回路１５は、Ｓ／Ｈ回路１４の出力信号を切り換えてＡ／Ｄ変換器１６に出力する。
Ａ／Ｄ変換器１６は、ＭＰＸ回路１５から入力されるアナログ信号をディジタル信号に変換する。
【００１４】
整定・表示部２０は、リレー整定部２１と，位相制御整定部２２と、表示回路２３とを備える。
リレー整定部２１は、アナログ入力部１０から入力されるディジタル零相電流信号Ｉ0およびディジタル零相電圧信号Ｖ0などに基づいて所定のリレー整定処理を行う。
位相制御整定部２２は、後述する遮断時設定時間Ｔ１および余裕時間Ｔ３を設定する。
表示回路２３は、リレー整定部２１におけるリレー整定処理結果や、位相制御整定部２２において設定された遮断時設定時間Ｔ１および余裕時間Ｔ３などを外部の表示装置（不図示）に表示させる。
【００１５】
演算処理部３０は、リレー判定処理部３１と、位相制御判定処理部３２とを備える。
リレー判定処理部３１は、アナログ入力部１０から入力されるディジタル信号（たとえば、ディジタル零相電流信号Ｉ0やディジタル零相電圧信号Ｖ0）に対して所定の演算処理を行う。
位相制御判定処理部３２は、アナログ入力部１０のＳ／Ｈ回路１４におけるサンプリング周期ごとに、後述する待ち時間Ｔ０を算出する。
【００１６】
シーケンス部４０は、リレーシーケンス処理部４１（以下、「リレーＳＱ処理部４１」と称する。）と、位相制御シーケンス処理部４２（以下、「位相制御ＳＱ処理部４２」と称する。）と、遮断器指令出力処理部４３（以下、「ＣＢ指令出力処理部４３」と称する。）とを備える。
リレーＳＱ処理部４１は、演算処理部３０のリレー判定処理部３１における演算処理結果に基づいて所定のシーケンス処理を行って地絡事故や短絡事故などの事故の発生を検出すると事故発生信号を出力するとともに、所定の時間の無電圧状態後に遮断器９０の再閉路投入を行うための再閉路投入信号を出力する。また、リレーＳＱ処理部４１は、他の保護リレー装置または制御装置（以下、「他の保護リレー装置・制御装置」と称する。）７０の入指令回路７１または監視制御装置８０の入指令回路８１から入出力部５０の入力回路５１を介して入力される入指令信号に基づいて所定のシーケンス処理を行って、投入指示信号を出力する。さらに、リレーＳＱ処理部４１は、他の保護リレー装置・制御装置７０の切指令回路７２または監視制御装置８０の切指令回路８２から入出力部５０の入力回路５１を介して入力される切指令信号に基づいて所定のシーケンス処理を行って、遮断指示信号を出力する。
位相制御ＳＱ処理部４２は、リレーＳＱ処理部４１から事故発生信号および遮断指示信号を受け取ると、その時刻から演算処理部３０の位相制御判定処理部３２において算出された待ち時間Ｔ０（待ち時間Ｔ０1）だけ経過した後に遮断器９０の遮断信号が出力されるように、出力信号をＣＢ指令出力処理部４３に出力する。
ＣＢ指令出力処理部４３は、位相制御ＳＱ処理部４２の出力信号に従って遮断器９０の遮断信号を出力したり、リレーＳＱ処理部４１からの再閉路投入信号または投入指示信号に従って遮断器９０の投入信号を出力したりする。
【００１７】
入出力部５０は、入力回路５１と、出力回路５２とを備える。
入力回路５１は、他の保護リレー装置・制御装置７０の入指令回路７１および監視制御装置８０の入指令回路７１からの入指令信号や、他の保護リレー装置・制御装置７０の切指令回路７２および監視制御装置８０の切指令回路８２からの切指令信号を受け取る。
出力回路５２は、シーケンス部４０のＣＢ指令出力処理部４３からの遮断信号および投入信号に基づいて、所定の補助リレー動作時間の経過後に、遮断器９０を遮断させる遮断器遮断信号（開閉装置遮断信号）および遮断器９０を投入させる遮断器投入信号（開閉装置投入信号）を遮断器９０の遮断回路９１および投入回路９２にそれぞれ出力する。
【００１８】
次に、位相制御内蔵ディジタル保護リレー装置１の動作について説明する。
まず、図２に示す時刻ｔ0（以下、「事故発生時刻ｔ0」と称する。）に送配電線のａ相に地絡事故が発生して直流成分を含まない第１のアナログ電流信号ｉaが入力されてきた場合を例として説明する。
【００１９】
図２に示す補助リレー動作時間（たとえば、１０ｍｓ）と遮断器９０の遮断時間（たとえば、３３ｍｓ）とを合計した遮断時設定時間Ｔ１（たとえば、４３ｍｓ）と、余裕時間Ｔ３（たとえば、２ｍｓ）とは、整定・表示部２０の位相制御整定部２２において事前に設定されている。
【００２０】
第１のアナログ電流信号ｉaはアナログ入力部１０の入力変換器１１を介してＢＰＦ１２およびＬＰＦ１３に入力されるが、第１のアナログ電流信号ｉaは直流成分を含んでいないため、図２に示すような波形を有する第１のディジタル電流信号Ｉaがアナログ入力部１０から出力される。
【００２１】
演算処理部３０の位相制御判定処理部３２は、第１のディジタル電流信号Ｉaについて、アナログ入力部１０のＳ／Ｈ回路１４におけるサンプリング周期ごとに、現在の時刻ｔ（ｔ＜ｔ0）からリレー判定時間ＴRYと遮断時設定時間Ｔ１と余裕時間Ｔ３とを合計した時間だけ経過した後に第１のディジタル電流信号Ｉaの振幅が最初に零となる時刻ｔzero（以下、「零点時刻ｔzero」と称する。）を算出し、算出した零点時刻ｔzeroから現在の時刻ｔを引くことにより、残余時間Ｔ（＝ｔzero−ｔ）を算出している。また、位相制御判定処理部２２は、サンプリング周期ごとに、算出した残余時間Ｔから遮断時設定時間Ｔ１と余裕時間Ｔ３との合計時間を引くことにより、現在の時刻ｔにおける待ち時間Ｔ０（＝Ｔ−Ｔ１−Ｔ３）を算出している。
【００２２】
その後、事故発生時刻ｔ0に送配電線のａ相に地絡事故が発生すると、シーケンス部４０のリレーＳＱ処理部４１は、演算処理部３０のリレー判定処理部３１における演算処理結果に基づいて所定のシーケンス処理を行ってこの地絡事故を検出して、事故発生時刻ｔ0からリレー判定時間ＴRYだけ経過した時刻ｔ1に事故発生信号を出力する。
【００２３】
シーケンス部４０の位相制御ＳＱ処理部４２は、時刻ｔ1にリレーＳＱ処理部４１から事故発生信号を受け取ると、時刻ｔ1に位相制御判定処理部３２において算出された待ち時間Ｔ０1だけ経過した時刻ｔ2に送配電線のａ相用の遮断器９０の遮断信号が出力されるように、出力信号をＣＢ指令出力処理部４３に出力する。
【００２４】
シーケンス部４０のＣＢ指令出力処理部４３は、位相制御ＳＱ処理部４２の出力信号に従って、時刻ｔ2に送配電線のａ相用の遮断器９０の遮断信号を出力する。
【００２５】
入出力部５０の出力回路５２は、ＣＢ指令出力処理部４３からの遮断信号に基づいて、時刻ｔ2から補助リレー動作時間だけ経過した時刻ｔ3に、遮断器遮断信号を送配電線のａ相用の遮断器９０の遮断回路９１に出力する。
【００２６】
これにより、零点時刻ｔZEROよりも余裕時間Ｔ３だけ前の時刻ｔ4に、送配電線のａ相用の遮断器９０の接触部の切離しが完了される。その結果、この遮断器９０においては第１のアナログ電流信号ｉaがほとんど零のときに接触部の切離しが完了されるため、アーク電流を最小限に抑えることができる。
【００２７】
なお、余裕時間Ｔ３は、補助リレー動作時間および遮断器９０の遮断時間のばらつきを考慮して、第１のアナログ電流信号ｉaの振幅が零となる前に遮断器９０の接触部の切離しが確実に完了されるようにするために設定される。
【００２８】
また、この場合の事故発生時刻ｔ0から事故消滅時刻（＝零点時刻ｔZERO）までの事故除去時間は、リレー判定時間を１５ｍｓ、待ち時間Ｔ０1を５ｍｓ、補助リレー動作時間を１０ｍｓ、遮断器９０の遮断時間を３３ｍｓとし、余裕時間Ｔ３を２ｍｓとすると、６５ｍｓ（＝１５ｍｓ＋５ｍｓ＋１０ｍｓ＋３３ｍｓ＋２ｍｓ）である。
【００２９】
さらに、時刻ｔ1における待ち時間Ｔ０1が最大となるケースは図３に示すようなケースであり、この場合の時刻ｔ1における待ち時間Ｔ０1は商用周波数の１／２サイクル（商用周波数６０Ｈｚのときには約８ｍｓ）であり、事故除去時間は上述した例では６８ｍｓ（＝１５ｍｓ＋８ｍｓ＋１０ｍｓ＋３３ｍｓ＋２ｍｓ）である。
一方、時刻ｔ1における待ち時間Ｔ０1が最小となるケースは図４に示すようなケースであり、この場合の時刻ｔ1における待ち時間Ｔ０1は０ｍｓであり、事故除去時間は上述した例では６０ｍｓ（＝１５ｍｓ＋０ｍｓ＋１０ｍｓ＋３３ｍｓ＋２ｍｓ）である。
【００３０】
次に、図５に示す時刻ｔ0（事故発生時刻ｔ0）に送配電線のａ相に地絡事故が発生して直流成分を含む第１のアナログ電流信号ｉaが入力されてきた場合における位相制御内蔵ディジタル保護リレー装置１の動作について説明する。
【００３１】
第１のアナログ電流信号ｉaはアナログ入力部１０の入力変換器１１を介してＢＰＦ１２およびＬＰＦ１３に入力されるが、第１のアナログ電流信号ｉaは直流成分を含んでいるため、図５に破線で示す第１のディジタル電流信号Ｉaの直流成分信号および交流成分信号がアナログ入力部１０から出力される。
【００３２】
演算処理部３０の位相制御判定処理部３２は、第１のディジタル電流信号Ｉaの直流成分信号および交流成分信号に基づいて、アナログ入力部１０のＳ／Ｈ回路１４におけるサンプリング周期ごとに、現在の時刻ｔからリレー判定時間ＴRYと遮断時設定時間Ｔ１との合計時間が経過した後に第１のディジタル電流信号Ｉa（直流成分を含む。）の振幅が最初に零となる時刻ｔzero（零点時刻ｔzero）を算出する。このとき、位相制御判定処理部３２は、第１のディジタル電流信号Ｉaの直流成分信号に基づいて減衰係数を算出して現在の時刻ｔ以降の第１のディジタル電流信号Ｉaの直流成分の振幅を予測し、予測した第１のディジタル電流信号Ｉaの直流成分の振幅と第１のディジタル電流信号Ｉaの交流成分信号に基づいて予測した同じ時刻における第１のディジタル電流信号Ｉaの交流成分の振幅とを合計し、合計した振幅に基づいて零点時刻ｔzeroを算出する。
位相制御判定処理部３２は、サンプリング周期ごとに、上述したようにして算出した零点時刻ｔzeroから現在の時刻ｔを引くことにより残余時間Ｔ（＝ｔzero−ｔ）を算出し、算出した残余時間Ｔから遮断時設定時間Ｔ１と余裕時間Ｔ３との合計時間を引くことにより、現在の時刻ｔにおける待ち時間Ｔ０（＝Ｔ−Ｔ１−Ｔ３）を算出している。
【００３３】
その後、事故発生時刻ｔ0に送配電線のａ相に地絡事故が発生すると、シーケンス部４０のリレーＳＱ処理部４１は、演算処理部３０のリレー判定処理部３１における演算処理結果に基づいて所定のシーケンス処理を行ってこの地絡事故を検出して、事故発生時刻ｔ0からリレー判定時間ＴRYだけ経過した時刻ｔ1に事故発生信号を出力する。
【００３４】
シーケンス部４０の位相制御ＳＱ処理部４２は、時刻ｔ1にリレーＳＱ処理部４１から事故発生信号を受け取ると、時刻ｔ1に位相制御判定処理部３２において算出された待ち時間Ｔ０1だけ経過した時刻ｔ2に送配電線のａ相用の遮断器９０の遮断信号が出力されるように、出力信号をＣＢ指令出力処理部４３に出力する。
【００３５】
シーケンス部４０のＣＢ指令出力処理部４３は、位相制御ＳＱ処理部４２の出力信号に従って、時刻ｔ2に送配電線のａ相用の遮断器９０の遮断信号を出力する。
【００３６】
入出力部５０の出力回路５２は、ＣＢ指令出力処理部４３からの遮断信号に基づいて、時刻ｔ2から補助リレー動作時間だけ経過した時刻ｔ3に、遮断器遮断信号を送配電線のａ相用の遮断器９０の遮断回路９１に出力する。
【００３７】
これにより、零点時刻ｔZEROよりも余裕時間Ｔ３だけ前の時刻ｔ4に、送配電線のａ相用の遮断器９０の接触部の切離しが完了される。その結果、この遮断器９０においては第１のアナログ電流信号ｉaの振幅がほとんど零のときに接触部の切離しが完了されるため、アーク電流を最小限に抑えることができる。
【００３８】
次に、図６に示す時刻ｔ0（以下、「受信時刻ｔ0」と称する。）に他の保護リレー装置・制御装置７０の切指令回路７２から送配電線のａ相用の遮断器９０を遮断させる切指令信号を受信した場合の位相制御内蔵ディジタル保護リレー装置１の動作について説明する。
【００３９】
第１のアナログ電流信号ｉaはアナログ入力部１０の入力変換器１１を介してＢＰＦ１２およびＬＰＦ１３に入力されるが、第１のアナログ電流信号ｉaは直流成分を含んでいないため、図６に示すような波形を有する第１のディジタル電流信号Ｉaがアナログ入力部１０から出力される。
【００４０】
演算処理部３０の位相制御判定処理部３２は、第１のディジタル電流信号Ｉaについて、アナログ入力部１０のＳ／Ｈ回路１４におけるサンプリング周期ごとに、現在の時刻ｔから処理時間ＴPRと遮断時設定時間Ｔ１と余裕時間Ｔ３とを合計した時間だけ経過した後に第１のディジタル電流信号Ｉaの振幅が最初に零となる時刻ｔzero（零点時刻ｔzero）を算出し、算出した零点時刻ｔzeroから現在の時刻ｔを引くことにより残余時間Ｔ（＝ｔzero−ｔ）を算出している。また、位相制御判定処理部２２は、サンプリング周期ごとに、算出した残余時間Ｔから遮断時設定時間Ｔ１と余裕時間Ｔ３との合計時間を引くことにより、現在の時刻ｔにおける待ち時間Ｔ０（＝Ｔ−Ｔ１−Ｔ３）を算出している。
【００４１】
シーケンス部４０のリレーＳＱ処理部４１は、入出力部５１の入力回路５１を介して受け取った他の保護リレー装置・制御装置７０の切指令回路７２からの切指令信号に基づいて所定のシーケンス処理を行って、遮断指示信号を出力する。なお、この遮断指示信号は、この切指令信号を受信した受信時刻ｔ0から処理時間ＴPRだけ経過した時刻ｔ1にリレーＳＱ処理部４１から出力される。
【００４２】
シーケンス部４０の位相制御ＳＱ処理部４２は、時刻ｔ1にリレーＳＱ処理部４１から遮断指示信号を受け取ると、時刻ｔ1に位相制御判定処理部３２において算出された待ち時間Ｔ０1だけ経過した時刻ｔ2に送配電線のａ相用の遮断器９０の遮断信号が出力されるように、出力信号をＣＢ指令出力処理部４３に出力する。
【００４３】
シーケンス部４０のＣＢ指令出力処理部４３は、位相制御ＳＱ処理部４２の出力信号に従って、時刻ｔ2に送配電線のａ相用の遮断器９０の遮断信号を出力する。
【００４４】
入出力部５０の出力回路５２は、ＣＢ指令出力処理部４３からの遮断信号に基づいて、時刻ｔ2から補助リレー動作時間だけ経過した時刻ｔ3に、遮断器遮断信号を送配電線のａ相用の遮断器９０の遮断回路９１に出力する。
【００４５】
これにより、零点時刻ｔZEROよりも余裕時間Ｔ３だけ前の時刻ｔ4に送配電線のａ相用の遮断器９０の接触部の切離しが完了される。その結果、この遮断器９０においては第１のアナログ電流信号ｉaの振幅がほとんど零のときに接触部の切離しが完了されるため、アーク電流を最小限に抑えることができる。
【００４６】
なお、監視制御装置８０の切指令回路８２から切指令信号を受信した場合も、位相制御内蔵ディジタル保護リレー装置１は同様に動作する。
【００４７】
以上では、送配電線のａ相用の遮断器９０を遮断させる場合における位相制御内蔵ディジタル保護リレー装置１の動作について説明したが、送配電線のａ相、ｂ相およびｃ相における任意の１相以上について各相用の遮断器９０をそれぞれ遮断させる場合においても、位相制御内蔵ディジタル保護リレー装置１は送配電線の各相ごとに同様の動作を行う。
【００４８】
また、単相遮断器である遮断器９０を遮断および投入させるのに用いられるものとして位相制御内蔵ディジタル保護リレー装置１を説明したが、３相一括遮断器である遮断器９０に対して位相制御内蔵ディジタル保護リレー装置１を用いる場合には、３相故障を除いて、同様にしてアーク電流を最小限に抑えることができる。
すなわち、１相故障の場合には、１相のみの故障であるため、故障相のタイミングで上述した位相制御を行って遮断器９０の遮断を行い、また、２相故障の場合には、故障相の電流の位相が１８０°反転するため、零点は同一のタイミングになるので、故障相のうちの代表相（たとえば、進み相）のタイミングで上述した位相制御を行って遮断器９０の遮断を行うことにより、アーク電流を最小限に抑えることができる。
【００４９】
図１に示したようにＢＰＦ１２をサンプリングホールド回路１４の前に設けたが、ディジタル回路で構成されたバンドパスフィルタ（ＢＰＦ）をＡ／Ｄ変換器１６の後に設けてもよい。
【産業上の利用可能性】
【００５０】
以上説明したように、本発明による位相制御内蔵ディジタル保護リレー装置は、たとえば、電力系統の開閉装置の遮断時におけるアークによる接触部の劣化や損傷を低減させるのに利用することができる。
【図面の簡単な説明】
【００５１】
【図１】本発明の一実施例による位相制御内蔵ディジタル保護リレー装置１の構成を示す図である。
【図２】事故発生時刻ｔ0に送配電線のａ相に地絡事故が発生して直流成分を含まない第１のアナログ電流信号ｉaが入力されてきた場合の図１に示した位相制御内蔵ディジタル保護リレー装置１の動作を説明するための図である。
【図３】時刻ｔ1における待ち時間Ｔ０1が最大となるケースを説明するための図である。
【図４】時刻ｔ1における待ち時間Ｔ０1が最小となるケースを説明するための図である。
【図５】事故発生時刻ｔ0に送配電線のａ相に地絡事故が発生して直流成分を含む第１のアナログ電流信号ｉaが入力されてきた場合の図１に示した位相制御内蔵ディジタル保護リレー装置１の動作を説明するための図である。
【図６】受信時刻ｔ0に他の保護リレー装置・制御装置７０の切指令回路７２から送配電線のａ相用の遮断器９０を遮断させる切指令信号を受信した場合の図１に示した位相制御内蔵ディジタル保護リレー装置１の動作を説明するための図である。
【符号の説明】
【００５２】
１  位相制御内蔵ディジタル保護リレー装置
１０  アナログ入力部
１１  入力変換器  
１２  バンドパスフィルタ（ＢＰＦ）
１３  ロウパスフィルタ（ＬＰＦ）
１４  サンプリングホールド回路（Ｓ／Ｈ回路）
１５  マルチプレクサ回路（ＭＰＸ回路）
１６  アナログ／ディジタル変換器（Ａ／Ｄ変換器）
２０  整定・表示部
２１  リレー整定部
２２  位相制御整定部
２３  表示回路
３０  演算処理部
３１  リレー判定処理部
３２  位相制御判定処理部
４０  シーケンス部
４１  リレーシーケンス処理部（リレーＳＱ処理部）
４２  位相制御シーケンス処理部（位相制御ＳＱ処理部）
４３  遮断器指令出力処理部（ＣＢ指令出力処理部）
５０  入出力部
５１  入力回路
５２  出力回路
７０  他の保護リレー装置・制御装置
７１  入指令回路
７２  切指令回路
８０  監視制御装置
８１  入指令回路
８２  切指令回路
９０  遮断器
９１  遮断回路
９２  投入回路
Ｉa〜Ｉc  第１乃至第３のディジタル電流信号
Ｔ  残余時間
Ｔ０1  待ち時間
Ｔ１  遮断時設定時間
Ｔ３  余裕時間
ＴRY  リレー判定時間
ＴPR  処理時間
ｔ0〜ｔ4，ｔzero  時刻
【図１】
2007336711.tif 000003
【図２】
2007336711.tif 000004
【図３】
2007336711.tif 000005
【図４】
2007336711.tif 000006
【図５】
2007336711.tif 000007
【図６】
2007336711.tif 000008